(57)【要約】【課題】  使用感及び取扱性に優れ、安定した温熱及び接触刺激を患部に与えることができるタッチセラピー用発熱体を提供することを目的とする。【解決手段】  空気中の酸素と接触して発熱する発熱組成物と、この発熱組成物が収納され、且つ少なくとも１部が通気性を有する発熱袋とからなるタッチセラピー用の発熱体であって、自己又は他者が、前記発熱体を手掌部に保持して当該自己又は他者の患部に、直接又は衣類を介して間接的に接触させて温熱や接触刺激を与えるにあたり、前記発熱体における前記手掌部側の袋材と当該手掌部との間の摩擦力が、前記発熱体における前記患部側又は衣類側の袋材と当該患部又は衣類との間の摩擦力より大きいことを特徴とするタッチセラピー用発熱体。【選択図】  図２
2005144160.tif 000002
【特許請求の範囲】
【請求項１】
空気中の酸素と接触して発熱する発熱組成物と、この発熱組成物が収納され、且つ少なくとも１部が通気性を有する発熱袋とからなるタッチセラピー用の発熱体であって、自己又は他者が、前記発熱体を手掌部に保持して当該自己又は他者の患部に、直接又は衣類を介して間接的に接触させて温熱や接触刺激を与えるにあたり、前記発熱体における前記手掌部側の袋材と当該手掌部との間の摩擦力が、前記発熱体における前記患部側又は衣類側の袋材と当該患部又は衣類との間の摩擦力より大きいことを特徴とするタッチセラピー用発熱体。
【請求項２】
発熱袋の両端部には指間固定用の偏平部が、一体に或いは別体を接着して設けられてなる請求項１に記載のタッチセラピー用発熱体。
【請求項３】
請求項１又は２に記載のタッチセラピー用発熱体には、使用者の手指に当該タッチセラピー用発熱体を保持させるためのブリッジ状の保持手段が設けられてなるタッチセラピー用発熱体。
【請求項４】
請求項１ないし３のいずれか１項に記載のタッチセラピー用発熱体には手掌部側に温熱緩和層が設けられているタッチセラピー用発熱体。
【請求項５】
発熱体における患部側又は衣類側の袋材の平均摩擦係数は、ＫＥＳ（ケス）方式による測定値が、０．２５以下である請求項１ないし４のいずれか１項に記載のタッチセラピー用発熱体。
【発明の詳細な説明】
【技術分野】
【０００１】
本発明は、直接ないし下着や肌着などの衣類を介して、人体各所に対して接触させることにより、当該接触箇所に温熱効果及び触刺激効果などを与えるためのタッチセラピー用発熱体に関する。
【背景技術】
【０００２】
我国、日本では治療行為のことを「手当て」と言い、これは、古来より痛いところや具合の悪いところがあると、当該患部に手を接触させて、撫でたり、擦ったり、押したりすることにより、痛みや凝り等の症状を緩和していたことに由来するものであり、即ち、「手当て」とは、治療行為の原点と言えるものである。
【０００３】
欧州などにおける西洋医学においては、このような治療行為は「タッチセラピー」と称され、この治療効果については、患部に手からの温熱を与えることによる新陳代謝の促進、血管拡張による血行改善、白血球及びリンパ球の活性化、鎮痛物質の生成及び筋肉や関節の炎症緩和などの効果、更に患部をなでたり擦ったりする触刺激による、マッサージ効果やエステ効果などが発現すると解釈されている。
【０００４】
一方、東洋医学においては、人体の「気」、「血」、「水」の流れが滞ることにより病気などの疾患症状が発生すると考えられており、当該患部に手を当て、手から出るエネルギー（温熱及び接触刺激更に気）を与えることにより「気」、「血」、「水」の流れを正常にし、症状を緩和すると考えられている。
【０００５】
このように、「手当て」についての認識は、東洋医学と西洋医学において多少の違いはあるものの、「手当て」により症状が緩和されることは双方において認められているところであり、古来より疾患治療手段の要として重要な役割を担っている。
【０００６】
しかしながら、様々な治療法が発達した現代においては、単に人の手から発生する温熱エネルギー（体温）に依存した原始的治療方法である「手当て」の評価は相対的に低くなっている。
【０００７】
そこで、最近では、手の保持具を有する袋状の中に、使い捨てカイロや蓄熱材のような温材を入れて、当該袋の暖かさを利用して身体を擦ることにより温マッサージする簡易温マッサージ装置が開発されている（例えば、特許文献１）。
【０００８】
【特許文献１】特開２００１−４６４５３号公報
【発明の開示】
【発明が解決しようとする課題】
【０００９】
しかしながら、特許文献１に記載の簡易温マッサージ装置は、使用の際に、手、対象部(患部)、袋材及び温材間の運動に齟齬が生じやすく、手の操作が正確に対象部(患部)に伝達されないといった問題がある。
【００１０】
即ち、使い捨てカイロを用いた温熱パップ剤や蓄熱材を患部に密着・固定して恒常的に患部を温める温熱治療とは異なり、特許文献１に記載の簡易温マッサージ装置においては、当該簡易温マッサージ装置における袋状の空間に手を入れて患部をなでたり擦ったりするため、手が袋材の表面を滑ったり、袋在中の温材がよれたり、移動して齟齬の原因となったり、この簡易温マッサージ装置が対称部（患部）に引っ掛かったりして効果的なマッサージ効果が得られないなどの問題が生じるのである。
【００１１】
従って、特許文献１に記載の簡易温マッサージ装置においては、その使用の際に、袋状の空間に手を入れ、この手の移動に起因する力の移動や伝達方法の点において、充分な配慮がなされていないのである。
【００１２】
又、特許文献１に記載の簡易温マッサージ装置においては、袋状に形成された空間に手を入れて使用するものであるから、当該袋状の空間内に熱が隠って発汗し、その結果、使用感が著しく悪くなるなどの問題がある。
【００１３】
そこで、本発明者は、このような問題を解決すべく鋭意検討を重ねた結果、自己又は他者が、前記発熱体を手掌部に保持して当該自己又は他者の患部に、直接又は衣類を介して間接的に接触させて温熱や接触刺激を与えるにあたり、発熱体における前記手掌部側の袋材と当該手掌部との間の摩擦力と、前記発熱体における前記患部側又は衣類側の袋材と当該患部又は衣類との間の摩擦力との関係が極めて重要であり、これらの摩擦力の関係が、使用の際に、手、対象部(患部)及び発熱体の運動に重要な影響を与え、その調整によって、手の操作が正確に対象部(患部)に伝達されるとの知見を得たのである。
【００１４】
即ち、本発明者は、使用の際に、発熱体において、手掌部（中でも摩擦係数の大きい指先部、特に人差し指、中指、薬指の指先部）と当該手掌部が接触する側の袋材との間の摩擦力が、自己又は他者の患部に直接、又は衣類（本発明においては、下着、シャツ等の通常使用される綿、レーヨン繊維等の素材のうち、最も摩擦係数の大きいものの一つである綿を標準素材とした。）を介して間接的に接触させて温熱や接触刺激を与える当該患部又は衣類とこの患部側又は衣類側の袋材の摩擦力のいずれよりも大きくすることが必要であり、これによって、発熱体が手に固定される結果、使用に際して、手、対象部(患部)及び発熱体間の運動に齟齬が生じることを防止することができるのであり、この二要素一概念の要因が極めて重要なのであるとの知見を得たのである。
【００１５】
前述の知見に基づき、本発明者は、本発明のタッチセラピー用発熱体を完成するに至ったのである。
【００１６】
本発明は、前記知見に基づき完成されたものであり、使用感及び取扱性に優れ、安定した温熱及び接触刺激を患部に与えることができるタッチセラピー用発熱体を提供することを目的とする。
【課題を解決するための手段】
【００１７】
以上の課題を解決する手段である本発明のタッチセラピー用発熱体は、空気中の酸素と接触して発熱する発熱組成物と、この発熱組成物が収納され、且つ少なくとも１部が通気性を有する発熱袋とからなるタッチセラピー用の発熱体であって、自己又は他者が、前記発熱体を手掌部に保持して当該自己又は他者の患部に、直接又は衣類を介して間接的に接触させて温熱や接触刺激を与えるにあたり、前記発熱体における前記手掌部側の袋材と当該手掌部との間の摩擦力が、前記発熱体における前記患部側又は衣類側の袋材と当該患部又は衣類との間の摩擦力より大きいことを特徴とするものである。
以下、本発明に係るタッチセラピー用発熱体について詳細に説明する。
【００１８】
本発明のタッチセラピー用発熱体においては、空気中の酸素と接触して発熱する発熱組成物と、この発熱組成物が収納され、且つ少なくとも１部が通気性を有する発熱袋とからなり、この発熱袋を構成する素材としては、発熱体からの熱に暴露されても著しい劣化が生じない程度の耐熱性を有し、使用の際に簡単に破れたりしない程度の物理的強度があるものであれば特に限定されるものではなく、一般的には、既知の天然繊維又は人造繊維から成る素材、又は、高分子材料から成る無孔（非通気性）或いは多孔質（通気性）のフィルムないしシートを適宜選択してこれを袋状に形成したものを用いることができるのであり、又、これらのフィルムないしシートから選ばれた少なくとも２種以上を積層した積層のフィルムないしシートを袋状に形成して用いても良いのである。
【００１９】
又、この発熱袋は、その内部に収納された発熱組成物が空気中の酸素と接触して発熱させるためのものであるから、少なくとも１部が通気性を有することを要するが、この「少なくとも１部が通気性を有する」とは、当該発熱袋内に充分に空気を供給できる構造であればよく、発熱袋の１部が通気性を有する場合だけでなく、発熱袋の片面全面が通気性を有するものや発熱袋の両面全面が通気性を有するものなどが挙げられるが、その通気度や透湿度は後述する発熱組成物の組成や要求される発熱温度によって調整される。
【００２０】
前記の天然繊維及び／又は人造繊維から成るフィルムないしシートとしては、一般的には、布、タオル、毛布、編み物、キルト、不織布、織布及び各種紙類等の袋材を挙げることができる。
【００２１】
又、前記天然繊維としては、例えば綿花、カポック、亜麻、ラミー、大麻、黄麻、しゅろ、マニラ麻、サイザル麻、コイヤー・ファイバー等の植物繊維、或いは家蚕絹、柞蚕絹、羊毛（緬羊）、カシミア毛、ラクダ毛、アルパカ毛、モヘヤー、兎毛等の動物繊維、更に、各種紙類が挙げられる。
【００２２】
更に、前記人造繊維としては、例えば人絹糸、スフ、ビスコース、ベンベルグ等の再生繊維、又はポリアミド系繊維（ナイロンなど）、ポリエステル系繊維（テトロン、テリレン、デークロンなど）、ポリアクリル系繊維（オーロン、エクスラン、ボンネル、カシミロン、カネカロンなど）、ポリビニール・アルコール系繊維（ビニロン）、ポリアルキレンパラオキシベンゾエート系繊維（ベンゾエート）、ポリウレタン系繊維（ポリウレタン）［スパンテックス］、ポリ塩化ビニリデン系繊維（ビニリデン）、ポリ塩化ビニル系繊維（ポリ塩化ビニル）、ポリアクリロニトリル系繊維、ポリエチレン系繊維（ポリエチレン）、ポリプロピレン系繊維（ポリプロピレン）、ポリクラール、ポリプロピレン系（パイレン）等の合成繊維、或いは酢酸人造繊維などのように天然物質と合成物質とを共重合して製造した半合成繊維等が挙げられる。
【００２３】
一方、前記高分子材料から成るフィルムないしシートとしては、例えば、ポリエチレンやポリプロピレン等のポリオレフィン、ポリエステル、ポリアミド、ポリウレタン、エチレン−酢酸ビニル共重合体、ポリ塩化ビニル、ポリブタジエン、セロファン、ポリクロロプレン、ポリアミノ酸、ニトリルゴム、ブチルゴム及びシリコンゴムなどを薄く形成されたフィルムないしシートを用いることができる。
【００２４】
そして、本発明においては、所望により、前記各種袋材に防滑処理を施したものを用いても良いが、この場合、その防滑処理表面の凹凸は少ないものが好ましいのである。
【００２５】
この場合、発熱体における手掌部側の袋材と当該手掌部との間の摩擦力を、発熱体における患部側又は衣類側の袋材と当該患部又は衣類との間の摩擦力より大きくするには、単に、発熱体におけるこれらの面の袋材を変更するだけで達成し得るが、本発明においては、特に袋材に、例えば天然ゴムや合成ゴム等による表面塗布、表面吹き付け等の加工を施すことにより、前記摩擦力の調整を行うことが好ましい。
【００２６】
この理由としては、特に袋材に、例えば天然ゴムや合成ゴム等による表面塗布、表面吹き付け等の加工を施すことにより、発熱体の発熱袋における表裏両面の袋材（素材）の利用範囲を拡大できるうえ、この表裏両面の袋材として同一の素材を用いることができる結果、２枚の布体のエッジ部を熱接着やヒートシールなどにより接合して発熱袋を形成する際の作業などが容易になるからである。
【００２７】
本発明のタッチセラピー用発熱体で用いられる発熱組成物としては、空気中の酸素と接触して発熱するものであれば特に限定されるものではないが、特に、発熱温度を制御し易く、しかも廉価で、取扱性が良好な上、使い捨てカイロに代表される金属粉や金属化合物の空気酸化により発熱する原理を利用した発熱体を用いることが好ましく、更に、安全性や保存性等の観点から金属粉を用いたものが一層望ましい。
【００２８】
本発明において、特に、空気中の酸素と接触して発熱する発熱組成物とは金属粉、無機電解質、保水剤及び水等を含む混合物であり、この他、この混合物に、活性炭等が加えられることもある。
【００２９】
前記金属粉としては、例えば鉄粉、アルミニウム粉等が挙げられるのであり、前記無機電解質としては、例えば塩化ナトリウム、塩化カリウム、塩化第二鉄、塩化マグネシウム等が挙げられるのであり、前記活性炭としてはヤシガラ活性炭等、特に、限定されるものではないのであり、更に、前記保水剤としては木粉、バーミキュライト、高分子吸水剤等が挙げられるのである。
【００３０】
そして、本発明のタッチセラピー用発熱体は、患部に発熱体を密着・固定して恒常的に患部を温める温熱治療とは異なり、発熱体を手に持って患部をなでたり擦ったりするタッチセラピーとして用いられるものであることから、通常の使い捨てカイロなどに求められる温度（４０〜４３℃程度）より高い温熱を発生しても低温やけど等の疾患が生じる虞れが無く、しかも一層高い温熱効果を得るために、６０〜７０℃程度の更に高い温熱を発生するものを用いることが好ましく、この発熱温度の制御は、発熱袋の通気度や透湿度の調整、更に発熱組成物の組成や充填量の調整によって行われる。
【００３１】
そして、本発明のタッチセラピー用発熱体においては、自己又は他者が、発熱体を手掌部に保持して当該自己又は他者の患部に、直接又は衣類を介して間接的に接触させて温熱や接触刺激を与えるにあたり、前記発熱体における前記手掌部側の袋材と当該手掌部との間の摩擦力が、前記発熱体における前記患部側又は衣類側の袋材と当該患部又は衣類との間の摩擦力より大きい点、に最も大きな特徴を有するものである。
【００３２】
即ち、本発明に係るタッチセラピー用発熱体においては、前述のように、手掌部（中でも摩擦係数の大きい指先部）と当該手掌部が接触する側の袋材（素材）との間の摩擦力が、自己又は他者の患部に直接、又は衣類（本発明においては、綿を標準素材とした。）を介して間接的に接触させて温熱や接触刺激を与える側の袋材（素材）と当該患部又は衣類との間の摩擦力よもり大きくなるように構成し、これにより、使用に際して、作用面の「すべり」が良くなり、使用感が向上する一方、使用者の手のひらへの「吸い付き」が大きくなって発熱体が手に固定される結果、指先部がスリップ、回転等の不安定な動きが無くなり、手、対象部(患部)及び発熱体間の運動に齟齬が生じることを確実に防止することができるのである。
【００３３】
本発明において、前記摩擦力の相違は、実際の使用試験に最も近い下記試験方法により行った。
【００３４】
＜摩擦力の相互比較試験（１）＞
試験環境：室温２０℃、相対湿度５０％
試験者：両方の手に機能的な異常がなく、皮膚病はじめ皮膚の乾燥、作業等の原因で一部欠損、変形、摩耗（特に指紋）等の異常もない正常皮膚を有する者３名を試験者とした。
検体：指間固定用の偏平部及び挟み方式の保持部材の無い発熱体を検体とし、この発熱体において、手掌部側の摩擦力と患部側の摩擦力とを以下の方法で測定した。
又、この発熱体の検体数は３個とし、以下の方法で判定した。
試験方法：試験者は石けんを用いて両方の前腕部から指先部まで丁寧に洗浄し、すすぎを十分行った後、タオル及びティッシュを用いて残余の水分を取り除き、更に、２０分間室温・室内に待機したのち試験を行った。この場合、患部の標準的部位として前腕外側部を選んだ。
まず、右手の手首から肘までの前腕部を支持台に水平に支持すると共に、手首より前側における手掌部の指部の力を抜き、当該手掌部の指部（手のひら側）を、他の支持台上に、前記右手の手首から肘までの前腕部と水平に載置した左手前腕外側部上の検体上面に載置した後［以下、検体における袋材の手のひら側をＡ面といい、当該検体における袋材の患部（前腕外側部）側又は衣類（綿）側をＢ面という。］、前記右手の手甲部における指部に縦５ｃｍ、横５ｃｍの大きさで、しかも重量２００ｇの鉄製の重りを中指が中心になるように粘着テープ片（総重量０．５ｇ以下）で固定する。
次いで、前記手掌部の指部には垂直方向の意識的な力は一切加えず、ただ２００ｇの荷重のみの状態で左手前腕外側部の長手方向に沿って左右に５ｃｍ、１０往復、１往復／秒の速さで接触移動する。この接触移動は試験者の手掌部が検体に触れてから１０秒後に開始する。
又、この試験の後、前記検体（発熱体）を外し、この検体が発熱開始後３時間経過したときにも前記と同様の試験を行った。
尚、検体（発熱体）の摩擦力の相互比較試験は検体（発熱体）の発熱開始１０分経過後と発熱開始３時間経過後の２回実施した。
判定：手掌部の指先部と検体（発熱体）のＡ面とがスリップ、回転等せず安定であって、しかも検体（発熱体）のＢ面と前腕外側部との滑りが滑らかな場合、手掌部と前記Ａ面との間の摩擦力が前記Ｂ面と患部（前腕外側部）との間の摩擦力より大きいと判定した。
この場合、試験者３名、３検体全てが同一結果の状態のときのみに判定した。
【００３５】
＜摩擦力の相互比較試験（２）＞
試験環境、試験者及び検体は前記摩擦力の相互比較試験（１）と同じ。
衣類（綿）：ＪＩＳ  Ｌ  ０８０３（染色堅ろう度試験用添付白布）による単一繊維布（Ｉ）綿  大きさは縦３０ｃｍ、横３０ｃｍ
試験方法：衣類（綿）を水平な試験板に両面テープで固定し、これを試験板とする。この試験板を水平に固定し、この試験板上に検体のＢ面が当たるように載置し、次に、前記摩擦力の相互比較試験（１）と同様に、洗浄操作、待機を終えた右手の手掌部における指部を検体Ａ面に当てた後、当該右手の手甲部における指部に縦５ｃｍ、横５ｃｍの大きさで、しかも重量２００ｇの鉄製の重りを中指が中心になるように粘着テープ片（総重量０．５ｇ以下）で固定する。
以下、前記摩擦力の相互比較試験（１）と同様にして、検体（発熱体）の摩擦力の相互比較試験を当該検体（発熱体）の発熱開始１０分経過後と発熱開始３時間経過後の２回実施した。
判定：手掌部の指先部と検体（発熱体）のＡ面とがスリップ、回転等せず安定であって、しかも検体（発熱体）のＢ面と試験布との滑りが滑らかな場合、手掌部と前記Ａ面との間の摩擦力が前記Ｂ面と衣類（綿）との間の摩擦力より大きいと判定した。
この場合、試験者３名、３検体全てが同一結果の状態のときのみに判定した。
【００３６】
ところで、本発明のタッチセラピー用発熱体においては、当該タッチセラピー用発熱体を構成する袋材の両端部に、指間固定用の偏平部を設けたり、使用者の手指に当該発熱体を保持させるための保持手段を設けたりすることが好ましい。
【００３７】
即ち、本発明に係るタッチセラピー用発熱体においては、当該発熱体の両端部に指間固定用の偏平部を設けたり、使用者の手指に当該発熱体を保持させるための保持手段を設けることにより、前記偏平部を指で挟みながら、本発明のタッチセラピー用発熱体を使用したり、或いは前記保持部材により発熱体と使用者の手指との密着性を向上したりすることができるのであり、これにより、手、対象部(患部)及び発熱体間の運動に齟齬が生じることを、更に一層確実に防止することができるのである。
【００３８】
本発明に係るタッチセラピー用発熱体において、当該発熱体の両端部に指間固定用の偏平部を設けるにあたり、この偏平部は、前記発熱体の発熱袋と一体に形成されたものでも良いが、これに代えて、前記発熱体の発熱袋と別体に形成され、これを当該発熱袋の両端部に熱接着等の手段で取り付けられたものでも良いのである。
【００３９】
本発明に係るタッチセラピー用発熱体においてはその両端部に、指間固定用の偏平部を設けることにより、使用中において、手指に恒常的に与えられる温熱を回避することができるのであり、使用者の低温火傷の予防等の観点からも好ましいのである。
【００４０】
又、本発明に係るタッチセラピー用発熱体において、手掌部の保持部材としては、これを袋状の空間にすると、前記特許文献１で記載したような問題が存在するので使用できないのであり、従って、各種素材を用いてブリッジ状、つまり帯状の部材においてその両側端部のみを発熱体の両側端部に固定したものが用いられる。このように構成すると、手掌部、特に手指の自由度を妨げず、保持する左右の手の差し替えが円滑に行なえる上、接触部位の移動や触刺激の伝達等を阻害せず、また通気性が有って発熱体の熱が隠ることもなくなる結果、使用感や取扱性が著しく向上するのである。
【００４１】
ところで、本発明に係るタッチセラピー用発熱体において、当該発熱体にブリッジ状の保持部材を設けるにあたり、このブリッジ状の保持部材は、前記発熱体の発熱袋と同一素材で形成されたものでも良いが、これに代えて、前記発熱体の発熱袋と別異の素材で形成され、この場合、発熱袋の素材と保持部材の素材との関連において、その取付は熱融着或いはホットメルト系接着剤を用いて熱接着等の取付手段を採用すれば良いのである。
【００４２】
本発明において、前述のタッチセラピー用発熱体にはその使用の際に手掌が接触する側に温熱緩和層が設けられているものが、手掌に直接接触させて長時間使用しても低温火傷を生じる虞れが無いので、使用感や安全性が著しく向上する結果、最も望ましいのである。
【００４３】
この温熱緩和層としては断熱性を備えるものであれば特に限定されるものではないが、具体的には、例えば連続性発泡体シート、独立性発泡体シート及びこれに貫通孔を設けたもの、不織布、布、紙、合成樹脂製シート等を単独又は積層して用いられる。
【００４４】
ところで、発熱体における患部側又は衣類側の袋材の平均摩擦係数は、ＫＥＳ（ケス）方式による測定値が、０．２５以下、好ましくは０．２以下であるものがその滑り性等の観点から望ましい。
【００４５】
このＫＥＳ（ケス）方式とは、布や紙類更にフィルムないしシートなどの表面における平均摩擦抵抗の測定の方法として医療分野や衣料分野で幅広く知られた方法であり、この方法で測定したデータは有用であり、素材の選択時、摩擦係数の相互比較評価時等に使用されるものである。
測定機器：摩擦感テスター（カトーテック株式会社製、ＫＥＳ−ＳＥ）。
測定条件：移動速度１ｍｍ／秒、荷重５０ｇ、移動距離２０ｍｍ。
【００４６】
又、本発明に係るタッチセラピー用発熱体においては、発熱袋における袋材において、使用の際に、患部に接触させて温熱や接触刺激を与えるＢ面側の素材は、柔軟で、多少の皮膚曲面にも追随することが可能な弾力性を有することが好ましく、また、熱伝導性、吸汗性等の使用条件に応じて適宜、設定して使用することが望ましい。
【発明の効果】
【００４７】
本発明に係るタッチセラピー用発熱体においては、前記構成を有し、使用感及び取扱性に優れ、安定した温熱及び接触刺激を患部に与えることができるなどの効果を奏するのである。
【００４８】
即ち、本発明においては、発熱体における手掌部側の袋材と当該手掌部との間の摩擦力が、前記発熱体における患部側又は衣類側の袋材と当該患部又は衣類との間の摩擦力より大きくし、これにより、使用に際して、患部側又は衣類側の「すべり」が良くなり、使用感が向上する一方、当該発熱体が手掌部に固定される結果、指先部のスリップ、回転等の不安定な動きが無くなり、このため、手掌部、対象部(患部)及び発熱体の間の運動に齟齬が生じることを確実に防止することができる効果を発現するのである。
【００４９】
そして、本発明に係るタッチセラピー用発熱体においては、その使用による臨床効果は極めて有効であり、しかも、この発熱体を、全身にわたって接触移動させた場合や患部への接触に起因するタッチセラピー効果に加え、その主要な効果的要素である温熱エネルギーによってタッチセラピー効果が増強されるのであり、加えて、使用において時間的、場所的、技術的な制限もなく、従来の他の治療法が固定的接触で低温火傷の恐れがあるのに対してこれは非固定的接触であるので、このような副作用が極めて少ない特性を有しているなどの効果を奏するのである。
【発明を実施するための最良の形態】
【００５０】
以下、本発明を実施例図面に基づいて詳細に説明するが、本発明はこの実施例に限定されるものではない。
【００５１】
下記実施例において、袋材、発熱組成物、発熱袋及び発熱体は以下のものを用いた。
発熱袋（手掌部と接触する側）：袋材としてポリプロピレン製フィルム（厚さ２０μｍ）とポリエチレン製フィルム（厚さ５０μｍ）の積層体を用い、この積層体のポリプロピレン製フィルム側を手掌部面との接触面とした（下記実施例図面において２１）。
発熱袋（患部又は衣類と接触する側）：袋材としてポリプロピレン製不織布（坪量５０ｇ／ｍ2）とポリエチレン製多孔質フィルム（坪量４０ｇ／ｍ2）の積層体［坪量９０ｇ／ｍ2、透湿度４００ｇ／ｍ2・２４ｈ  リッシー法（Ｌｙｓｓｙ法Ｌ８０−４０００Ｈ型）］を用い、この積層体のポリプロピレン製不織布（ＫＥＳによる平均摩擦係数０．２２）側を患部面との接触面とした（下記実施例図面において２２）。
【００５２】
実施例１及び実施例２においては前記発熱袋（下記実施例図面において２）を用いた、実施例３においては手掌面と接触する側の袋材として、前記袋材に代えて、ポリエチレンテレフタレート製フィルム（厚さ１２μｍ、以下、単にＰＥＴフィルムという。）とポリエチレン製フィルム（厚さ３０μｍ）との間に温熱緩和層である発泡ポリエチレンシート（厚さ１ｍｍ）を介装して熱接着した積層体を用い、この積層体のＰＥＴフィルム側を手掌部面との接触面とした。
【００５３】
尚、リッシー法とは、例えば特開２００１−８７３０２等に記載されているように、使い捨てカイロにおいてその袋材の透湿度を測定する方法として広く知られている方法である。
【００５４】
発熱組成物：鉄粉（６１．６重量％）、活性炭（５．３重量％）、バーミキュライト（９．５重量％）、食塩（３．１重量％）及び水（２０．５重量％）からなる混合物を用いた（下記実施例図面において３）。
【００５５】
発熱体：下記実施例において実施例１及び実施例３のものは縦９０ｍｍ、横５０ｍｍの発熱袋に前記発熱組成物を１５ｇ収納し、周縁部を５ｍｍ幅でヒートシールしたものを用いた。又、下記実施例２においてはその発熱袋の大きさを、縦１３０ｍｍ、横５０ｍｍとし、この発熱袋の縦方向両側部をそれぞれ２０ｍｍ幅でヒートシールし、また、横方向両縁部をそれぞれ５ｍｍ幅でヒートシールすることによって実質的な発熱体の発熱部は実施例１・３と同様にした（下記実施例図面において１）。
【００５６】
ところで、下記実施例３において、保持部材は以下のものを用いた。
保持部材：ポリプロピレン製不織布（坪量７０ｇ／ｍ2）を縦９５ｍｍ、横５０ｍｍに切断し、これを、前記発熱袋に積層して当該発熱袋の５０ｍｍ幅方向の両側端部二ケ所に、その両側端部二ケ所をそれぞれ５ｍｍ幅でホットメルト系接着剤を用いて熱接着した。従って、手掌部の挿入側と反対側も開放されたブリッジ状に形成されている（下記実施例図面において２４）。
【００５７】
ところで、前記各発熱体において、前記摩擦力の相互比較試験（１）及び前記摩擦力の相互比較試験（２）の方法で、相互の摩擦力を測定したところ、前記各発熱体における手掌部側の袋材と当該手掌部との間の摩擦力が、前記各発熱体における患部（この場合、前腕外側部のことであり、以下、単に患部という。）側又は衣類（この場合、綿のことである。）側の袋材と当該患部（前腕外側部）又は衣類（綿）との間の摩擦力より大きいものであることを確認した。
【００５８】
又、実施例１〜３の発熱体の平均発熱温度は５１．５℃であり、発熱時間は６時間であったが、特に、実施例３のものは、温熱緩和層の存在によって、手掌面との接触面側の温度が患部面との接触面側の温度より５〜８℃低いことが認められた。
【実施例１】
【００５９】
図１は、実施例１に係る本発明のタッチセラピー用発熱体１を示す断面図であり、このタッチセラピー用発熱体１は、前記発熱袋２に前記発熱組成物３を封入してなるものである。
【００６０】
実施例１においてそのタッチセラピー用発熱体２としては、前述した２枚のフィルム状ないしシート状の袋材２１，２２を用い、その周縁部を５ｍｍ幅でヒートシールすることにより袋状に形成されたものであり、その袋材２２が患部又は衣類と接触する側である。
【００６１】
そして、実施例１においては、前述のように、タッチセラピー用発熱体１において、使用の際に、当該発熱体１における手掌部側の袋材２１と当該手掌部との間の摩擦力が、前記発熱体１における患部側又は衣類側の袋材２２と当該患部又は衣類との間の摩擦力より大きいものであり、従って、使用に際して、前記発熱体における患部側又は衣類側の「すべり」が良くなり、使用感が向上する一方、当該発熱体１が手掌部に固定される結果、指先部のスリップ、回転等の不安定な動きが無くなる結果、手掌部、対象部(患部)及び発熱体１の間の運動に齟齬が生じることを防止することができるのである。
【実施例２】
【００６２】
図２（ａ）は、実施例２に係る本発明のタッチセラピー用発熱体１を示す断面図であり、このタッチセラピー用発熱体１は、前記発熱袋２に前記発熱組成物３を封入してなるものである。
【００６３】
そして、この実施例２において、発熱袋２は、前述のように、２枚のフィルム状ないしシート状の袋材２１，２２の両端部を２０ｍｍ幅でヒートシールすることにより袋状に形成されたものであり、特に、この場合、発熱袋２の両端部に、指間固定用の偏平部２３が一体に設けられてなるものである。
【００６４】
即ち、図２（ｂ）の断面図に示すように、この実施例２におけるタッチセラピー用発熱体１は、指間固定用の偏平部２３を親指４１、人差し指４２、中指４３、薬指４４、小指４５で挟んで使用するものであり、これにより、使用の際に、より一層、手、対象部(患部)及び発熱体１の間の運動に齟齬が生じることが無くなるのである。
【００６５】
又、この実施例２におけるタッチセラピー用発熱体１においては、指間固定用の偏平部２３において発熱組成物３が存在しないことから、使用中において、手指に恒常的に与えられる温熱を回避することができる結果、低温火傷を予防することもできるのである。
【００６６】
なお、本実施例２においては、タッチセラピー用発熱体１における指間固定用の偏平部２３を、親指４１と人差し指４２の間及び薬指４４と小指４５の間にそれぞれ挟んで使用しているが、必ずしもこのような指５本を使用した挟み方に限定されるものではなく、例えば、使用の際に、人差し指４２と中指４３及び薬指４４と小指４５の間に各偏平部２３を挟む指４本を使用した挟み方や人差し指４２と中指４３及び中指４３と薬指４４の間に各偏平部２３を挟む指３本を使用した挟み方なども採用できるのである。
【実施例３】
【００６７】
図３（ａ）は、実施例３に係る本発明のタッチセラピー用発熱体１を示す断面図であり、このタッチセラピー用発熱体１は、前記発熱袋２に前記発熱組成物３を封入してなるものであり、２４はブリッジ状の保持部材である。
【００６８】
そして、この実施例３において、前記発熱袋２は、前述のように、２枚のフィルム状ないしシート状の袋材２１，２２の周縁部を５ｍｍ幅でヒートシールすることにより袋状に形成されたものであり、特に、この場合、手掌部と直接接触する側の袋材２１が、ＰＥＴフィルム（厚さ１２μｍ）２１ａとポリエチレン製フィルム（厚さ３０μｍ）２１ｂとの間に温熱緩和層２１ｃである発泡ポリエチレンシート（厚さ１ｍｍ）を介装して熱接着した積層体を用いており、前記ＰＥＴフィルム（厚さ１２μｍ）２１ａが手掌部と直接接触するように構成されている。
【００６９】
又、この実施例３においては、前述のように、保持部材２４として、ポリプロピレン製不織布（坪量７０ｇ／ｍ2）を縦９５ｍｍ、横５０ｍｍに切断したものを用い、この保持部材２４を、前記発熱袋２に積層して当該発熱袋の５０ｍｍ幅方向の両側端部二ケ所に、その両側端部二ケ所をそれぞれ５ｍｍ幅でホットメルト系接着剤を用いて熱接着した。従って、手掌部の挿入側と反対側も開放されたブリッジ状に形成されている。
【００７０】
即ち、図３（ｂ）の断面図に示すように、この実施例のタッチセラピー用発熱体１は、保持部材２４と袋材との間に形成される隙間に人差し指４２、中指４３、薬指４４、小指４５を差し入れて使用するものであり、これにより、手、対象部(患部)及び発熱体１の間の運動に齟齬が生じることを一層確実に防止することができるのである。
【００７１】
又、この実施例３においては、特に、手掌と直接接触する側の袋材２１には温熱緩和層２１ｃが積層されているから、使用中において、手指に恒常的に与えられる温熱を確実に回避することができる結果、低温火傷を確実に予防することもできる結果、安全性が一層向上するのである。
【００７２】
更に、この実施例３においては、手掌部の保持部材２４が、ブリッジ状、つまり帯状の部材においてその両側端部のみを発熱袋２の両側端部にホットメルト系接着剤を用いて熱接着されたものが用いられているから、手掌部、特に手指の自由度を妨げず、保持する左右の手の差し替えが円滑に行なえる上、接触部位の移動や接触刺激の伝達等を阻害せず、また通気性が有って発熱体の熱が隠ることもなくなる結果、使用感や取扱性が著しく向上するのである。
【００７３】
＜使用試験＞
肩凝り、腰痛を慢性的に訴え、現在、他の治療法を実践している１０人（○）と、過去に他の治療法を実践したが、効果が乏しいので、慢性的な症状は変わらないので、その治療は現在まで実践していない１０人（×）の合計２０人に、前記実施例１〜３のタッチテラピー用発熱体を１日１回の割合で患部を中心に適用し、その効果が発生するまで直接患部を中心に適宜、接触させて使用したり、又は衣類上から患部を中心に適宜、接触させて使用した。
前記実施例１〜３の効果が発生するまでの期間とその効果を、他の治療法との比較においてそれぞれが自己判定した。
尚、現在、他の治療法を実践している人にはその治療を中断していただき、１０日経過後に前記実施例１〜３の使用を開始した。
その結果を表１に示す。
【００７４】
【表１】
2005144160.tif 000003
【００７５】
表１において、Ｓ：市販の医療用貼付剤  Ｍ：マッサージ  Ｈ：鍼灸  Ｇ：磁気治療であることを示す。
【００７６】
表１に示す結果から、各実施例のものは、慢性の腰痛、肩凝りにおいて、他の治療法と比較すると、非常に優れた効果を有していることが判明した。
又、各実施例品のものは、使用方法が簡便で、しかも自己の使用感に基づき使用を制御できるうえ、いつでも、どこでも使用することができるのであり、又、非固定的接触なので低温火傷や接触性皮膚炎等の副作用が無くなる等、その重要な特性を確認することができた。
更に、各実施例品が、他の治療法に比較して、このような有意差の有る評価が得られた理由の一つは、患部の温度のみならず、患部を中心にしながら、全身に接触するように接触移動させることができる結果、特に、全身の体温が低下している場合、これに適切に温熱を供給することができたからと解釈される。
【図面の簡単な説明】
【００７７】
【図１】図１は、実施例１に係る本発明のタッチセラピー用発熱体を示す断面図である。
【図２】図２において、（ａ）図は実施例２に係る本発明のタッチセラピー用発熱体を示す断面図である。  図２において、（ｂ）図はその使用状態を示す断面図である。
【図３】図３において、（ａ）図は実施例３に係る本発明のタッチセラピー用発熱体を示す断面図である。  図３において、（ｂ）図はその使用状態を示す断面図である。
【符号の説明】
【００７８】
１          タッチセラピー用発熱体
２          発熱袋
３          発熱組成物
２１        袋材
２１ａ      ＰＥＴフィルム
２１ｂ      ポリエチレン製フィルム
２１ｃ      温熱緩和層
２２        袋材
２３        偏平部
２４        保持部材
４１〜４５  指
【図１】
2005144160.tif 000004
【図２】
2005144160.tif 000005
【図３】
2005144160.tif 000006